(57)【要約】【課題】停止時加熱制御を実行した場合にも短時間で異常の発生を検知できる画像形成装置を提供する。【解決手段】  ＣＰＵは、画像形成ジョブの終了に伴い加圧ローラの回転駆動を停止している状態で、加圧ローラの停止時から所定の時間が経過した場合に、サーミスタの検知する温度が所定の温度になるまでヒータを加熱する停止時加熱制御を実行可能である。ＣＰＵは、画像形成ジョブの開始に伴いヒータによる加熱を開始し、サーミスタにより検知した温度が異常である場合に、異常が発生した旨を出力する異常検知制御を実行可能である。ＣＰＵは、画像形成ジョブの開始に伴いヒータによる加熱を開始した後で、サーミスタの検知した温度が特定の温度以下であり、かつメモリに停止時加熱情報が記憶されている場合に、加圧ローラの回転駆動を開始した後に異常検知制御を実行する。【選択図】図４
2020034785.tif 000002
【特許請求の範囲】
【請求項１】
回転駆動される駆動回転体と、前記駆動回転体と当接しニップ部を形成する定着フィルムと、前記定着フィルム内に配置され、供給される電力に応じて発熱して前記ニップ部を加熱する加熱部と、前記定着フィルム内に配置され温度を検知する温度検知部と、を有し、前記ニップ部でトナー像を記録材に定着する定着装置と、
画像形成ジョブの終了に伴い前記駆動回転体の回転駆動を停止している状態で、前記駆動回転体の停止時から所定の時間が経過した場合に、前記温度検知部の検知する温度が所定の温度になるまで前記加熱部を加熱する停止時加熱制御と、画像形成ジョブの開始に伴い前記加熱部による加熱を開始し、前記温度検知部により検知した温度が異常である場合に、異常が発生した旨を出力する異常検知制御と、を実行可能な制御部と、
前記停止時加熱制御が実行された場合に、停止時加熱情報を記憶する記憶部と、を備え、
前記制御部は、画像形成ジョブの開始に伴い前記加熱部による加熱を開始する場合に、前記温度検知部の検知した温度が特定の温度以下であり、かつ前記記憶部に前記停止時加熱情報が記憶されている場合に、前記駆動回転体の回転駆動を開始した後に前記異常検知制御を実行する、
ことを特徴とする画像形成装置。
【請求項２】
前記制御部は、画像形成ジョブの開始に伴い前記加熱部による加熱を開始する場合に、前記温度検知部の検知した温度が特定の温度以下で、かつ前記記憶部に前記停止時加熱情報が記憶されている場合に、前記駆動回転体の回転駆動を開始してから特定の時間が経過した後に前記異常検知制御を実行する、
ことを特徴とする請求項１に記載の画像形成装置。
【請求項３】
前記制御部は、画像形成ジョブの開始に伴い前記加熱部による加熱を開始する場合に、前記温度検知部の検知した温度が特定の温度より高温又は前記記憶部に前記停止時加熱情報が記憶されていない場合に、前記異常検知制御を実行した後に前記駆動回転体の回転駆動を開始する、
ことを特徴とする請求項１又は２に記載の画像形成装置。
【請求項４】
前記制御部は、前記記憶部に前記停止時加熱情報が記憶された後に画像形成ジョブが実行された場合に、前記記憶部に記憶された前記停止時加熱情報を消去する、
ことを特徴とする請求項１乃至３のいずれか１項に記載の画像形成装置。
【請求項５】
情報を表示可能な表示部を備え、
前記制御部は、前記異常が発生した旨を前記表示部に出力する、
ことを特徴とする請求項１乃至４のいずれか１項に記載の画像形成装置。
【請求項６】
前記制御部は、前記異常検知制御で異常を検知した場合に、前記加熱部による加熱を停止する、
ことを特徴とする請求項１乃至５のいずれか１項に記載の画像形成装置。
【請求項７】
前記加熱部に第１の電力から前記第１の電力よりも大きい第２の電力の範囲内の電力を供給可能な電力部を備え、
前記制御部は、
画像形成ジョブの開始に伴い前記加熱部による加熱を開始する際に、前記記憶部に前記停止時加熱情報が記憶されていない場合には、前記温度検知部が検知した温度に基づいて、前記範囲内から選択された電力を前記電力部に供給させ、
前記記憶部に前記停止時加熱情報が記憶されている場合には、前記温度検知部が検知した温度によらず前記第２の電力を前記電力部に供給させる、
ことを特徴とする請求項１乃至６のいずれか１項に記載の画像形成装置。
【請求項８】
前記温度検知部は、前記加熱部に対して前記ニップ部と反対側に配置されている、
ことを特徴とする請求項１乃至７のいずれか１項に記載の画像形成装置。
【発明の詳細な説明】
【技術分野】
【０００１】
本発明は、シートに転写されたトナー像を定着させる定着装置を備える画像形成装置に関する。
【０００２】
従来、トナー像をシートに定着させる定着装置として、筒状の定着フィルムと、定着フィルムの内側に配置されたヒータと、を備えた定着装置が知られている（特許文献１参照）。特許文献１に記載の定着装置は、定着装置に付着したトナーを除去するために、定着フィルムと加圧ローラとの間にシートがなく、かつ加圧ローラが停止している状態で、トナーの軟化点以上まで加熱する停止時加熱制御を実行している。
【先行技術文献】
【特許文献】
【０００３】
【特許文献１】特開２０００−１２２４６３号公報
【発明の概要】
【発明が解決しようとする課題】
【０００４】
近年、画像形成装置においては、スリープからの復帰時間や装置本体の立ち上げにかかる時間を短縮することが求められており、特に定着装置の立ち上げ時間を短縮することが求められている。画像形成装置では、定着フィルム内において温度を検知するサーミスタが、一定の時間内に検知した温度の上昇率によって、立ち上げ時に定着装置に供給する電力を可変させることで、定着装置の温度を上昇させる速度を速める制御を行っている。このような画像形成装置では、例えば、サーミスタが故障し、定着装置に電力を加えても温度の上昇が検知されない場合に、定着装置の温度が上がっていないと判断し過度な電力を供給してしまい、急激に温度が上昇してしまう虞がある。このため、画像形成装置では、急激な温度の上昇による影響を防ぐために、短時間で異常が発生していることを検知し、電力の供給を停止させることが求められている。
【０００５】
特許文献１に記載の画像形成装置においては、停止時加熱制御を実行することで、定着フィルムと加圧ローラとの間のニップ部のみ加熱され、ニップ部以外の箇所についてニップ部よりも低温となる。このため、特許文献１に記載の画像形成装置では、停止時加熱制御の実行後における定着装置の立ち上げ時での加熱に際して、加圧ローラが回転することで、ニップ部よりも低温の箇所がヒータによって加熱される際に、ヒータの温度が一時的に低下する。ヒータの温度が一時的に低下することで、サーミスタが検知する温度も一時的に低下するため、一定の時間内に十分な温度上昇が検知されず、異常が発生していると誤検知してしまう虞がある。また、このような誤検知を防ぐためにサーミスタが温度上昇を検知する時間を長くした場合には、異常が検知されるまでに定着装置が温度の急激に上昇してしまうことも懸念される。
【０００６】
そこで、本発明は、停止時加熱制御を実行した場合にも短時間で異常の発生を検知できる画像形成装置を提供することを目的とする。
【課題を解決するための手段】
【０００７】
本発明に係る画像形成装置は、回転駆動される駆動回転体と、前記駆動回転体と当接しニップ部を形成する定着フィルムと、前記定着フィルム内に配置され、供給される電力に応じて発熱して前記ニップ部を加熱する加熱部と、前記定着フィルム内に配置され温度を検知する温度検知部と、を有し、前記ニップ部でトナー像を記録材に定着する定着装置と、画像形成ジョブの終了に伴い前記駆動回転体の回転駆動を停止している状態で、前記駆動回転体の停止時から所定の時間が経過した場合に、前記温度検知部の検知する温度が所定の温度になるまで前記加熱部を加熱する停止時加熱制御と、画像形成ジョブの開始に伴い前記加熱部による加熱を開始し、前記温度検知部により検知した温度が異常である場合に、異常が発生した旨を出力する異常検知制御と、を実行可能な制御部と、前記停止時加熱制御が実行された場合に、停止時加熱情報を記憶する記憶部と、を備え、前記制御部は、画像形成ジョブの開始に伴い前記加熱部による加熱を開始する場合に、前記温度検知部の検知した温度が特定の温度以下であり、かつ前記記憶部に前記停止時加熱情報が記憶されている場合に、前記駆動回転体の回転駆動を開始した後に前記異常検知制御を実行する、ことを特徴とする。
【発明の効果】
【０００８】
本発明によれば、停止時加熱制御を実行した場合にも短時間で異常の発生を検知できる。
【図面の簡単な説明】
【０００９】
【図１】第１の実施形態に係る画像形成装置を示す概略構成図。
【図２】第１の実施形態に係る定着装置の概略構成図及び画像形成装置の制御ブロック図。
【図３】第１の実施形態に係る電源ＯＮから電源ＯＦＦまでの制御プロセスを示すフローチャート。
【図４】第１の実施形態に係る定着立上制御を示すフローチャート。
【図５】第１の実施形態に係る異常検知制御を示すフローチャート。
【図６】第１の実施形態に係るサーミスタ及び加圧ローラの温度変化と制御部の各構成の制御状態を示す図。
【図７】第２の実施形態に係る電源ＯＮから電源ＯＦＦまでの制御プロセスを示すフローチャート。
【図８】第２の実施形態に係る定着電力選択制御を示すフローチャート。
【発明を実施するための形態】
【００１０】
＜第１の実施形態＞
以下、図面に沿って第１の実施形態に係る画像形成装置について説明する。
【００１１】
［画像形成装置］
図１は、第１の実施形態に係る画像形成装置１００の構成図である。図１に示すように、画像形成装置１００は、画像形成を行う画像形成部１０１と、画像読み取りを行う画像読取部１０２と、読み取り原稿の搬送を行う自動原稿送り部１０３と、を備えている。
【００１２】
画像形成部１０１は、記録材としてのシートＰを収納する給紙カセット１１０を有している。画像形成部１０１は、給紙カセット１１０からシートＰを取り出すピックアップローラ１１１と、シートＰを搬送する給紙ローラ１１２と、給紙カセット１１０から取り出したシートＰを１枚に分離するリタードローラ１１３と、により、シートＰを分離給送する。画像形成部１０１は、分離給送を開始したシートＰを搬送ローラ１１４によって搬送し、停止しているレジストローラ対１１５によってシートＰの斜行補正を行う。斜行補正後、画像形成部１０１は、レジストローラ対１１５を回転させて、感光ドラム１３１と転写ローラ１３３とによって形成された転写ニップ部Ｎ１にシートＰを搬送する。
【００１３】
画像形成部１０１は、シートＰの給紙カセット１１０からの搬送と同期して、帯電手段としての帯電ローラ１３２によって感光ドラム１３１の外周面に、所定の極性の電位を一様に帯電させる帯電処理を実行する。レーザスキャナユニット１２０では、画像読取部１０２で読み取られた原稿の画像情報を時系列デジタル画素信号に応じて変調されたレーザ光Ｌを、一様に帯電された感光ドラム１３１に走査し、感光ドラム１３１上に静電潜像を形成する。現像器１４０は、収容器１４２に収容されたトナーを現像ローラ１４１によって感光ドラム１３１上の静電潜像に付着し、感光ドラム１３１上にトナー像を現像する。転写ローラ１３３には、感光ドラム１３１とは逆極性の転写バイアスが印加されている。このため、画像形成部１０１は、シートＰを感光ドラム１３１と転写ローラ１３３との間の転写ニップ部Ｎ１に搬送することで、シートＰに感光ドラム１３１上のトナー像を静電転写することができる。
【００１４】
画像形成部１０１は、トナー像を転写したシートＰを定着装置１５０に搬送する。定着装置１５０は、回転駆動される駆動回転体としての加圧ローラ１５２と、加圧ローラ１５２と当接しニップ部としての定着ニップ部Ｎ２を形成する定着フィルム１５１と、を有している。また、定着装置１５０は、定着フィルム内に配置され、供給される電力に応じて発熱して定着ニップ部Ｎ２を加熱する加熱部としてのヒータ２０２を有している。画像形成部１０１は、シートＰを定着ニップ部Ｎ２に搬送し、ヒータ２０２の発熱と加圧ローラ１５２が定着フィルム１５１に向けてシートＰを押圧する圧力とによって、トナー像を加熱溶融してシートＰに定着させる。その後、画像形成部１０１は、排紙ローラ１６０によって装置本体の外にシートＰを排出する。
【００１５】
［定着装置と制御部］
図２は、第１の実施形態に係る定着装置の概略と、制御部の構成と、を示す図である。図２に示すように、定着装置１５０は、筒状の定着フィルム１５１に向けて不図示の加圧機構によって加圧ローラ１５２が付勢されており、定着フィルム１５１と加圧ローラ１５２との間に定着ニップ部Ｎ２が形成されている。また、定着装置１５０では、定着モータ２１０の動力がギア又はベルトによって駆動連結された加圧ローラ１５２の軸心に伝達されることで、加圧ローラ１５２が駆動回転され、加圧ローラ１５２によって定着フィルム１５１が従動回転される。
【００１６】
定着フィルム１５１内には、定着フィルム１５１の内面と当接し定着フィルム１５１が従動回転する際に定着フィルム１５１の内面と摺動するフィルムガイド１５４及びガイドステー１５５が配置されている。フィルムガイド１５４には、セラミックの表面に発熱体パターンが形成されたセラミックヒータであり、定着ニップ部Ｎ２と対向する位置に配置され定着フィルム１５１の内面と当接するヒータ２０２が保持されている。また、フィルムガイド１５４には、ヒータ２０２に対して定着ニップ部Ｎ２の反対側に配置されることでヒータ２０２の定着フィルム１５１と当接する面と対向する面に当接し、温度を検知する温度検知部としてのサーミスタ２０４が保持されている。
【００１７】
定着フィルム１５１と、ヒータ２０２、フィルムガイド１５４及びガイドステー１５５と、の間には、定着フィルム１５１の内面と摺動する際における摩擦を軽減させるための潤滑剤としてグリスが塗られている。
【００１８】
定着装置１５０は、ＣＰＵ（Ｃｅｎｔｒａｌ Ｐｒｏｃｅｓｓｉｎｇ Ｕｎｉｔ）２０５を含む制御部２００により制御される。制御部２００は、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）を含む記憶部としてのメモリ２０６を有している。ＣＰＵ２０５は、ＲＯＭに格納された制御手順に対応するプログラムを読み出しながら各部の制御を行う。また、ＲＡＭには、作業用データや入力データが格納されており、ＣＰＵ２０５は、前述のプログラム等に基づいてＲＡＭに収納されたデータを参照して制御を行う。
【００１９】
ＣＰＵ２０５は、定着モータ２１０に指令を送り、一定速度で加圧ローラ１５２を回転させ、加圧ローラ１５２と当接している定着フィルム１５１を従動回転させる。また、ＣＰＵ２０５は、ＡＣ電圧制御素子であるトライアック２０３を介して商用電源である電力部２０７からのＡＣ電圧を供給し、ヒータ２０２へ電力を供給する電力供給制御を行う。
【００２０】
電力供給制御の実行時において、ＣＰＵ２０５は、サーミスタ２０４の検知する温度が所定の目標温度となるように電力供給制御を実行する。また、電力供給制御の実行時において、ＣＰＵ２０５は、サーミスタ２０４が検知する温度の検知結果から温度異常が発生しているか否かを判断する異常検知制御を実行する。温度異常が発生したと判断した場合、ＣＰＵ２０５は、リレー２０１を遮断することでヒータ２０２への電力供給を遮断する。そして、ＣＰＵ２０５は、画像形成装置１００のシステムを制御するシステム制御部３００のシステムコントローラ３０１を介して、情報を表示可能な表示部としての表示パネル３０２に異常が発生した旨を出力し報知させる。
【００２１】
また、ＣＰＵ２０５は、画像形成ジョブの終了に伴い加圧ローラ１５２の回転駆動を停止している状態で、加圧ローラ１５２の停止時から所定の時間として５秒が経過した場合に、停止時加熱制御を実行する。停止時加熱制御において、ＣＰＵ２０５は、サーミスタ２０４の検知する温度がトナーの軟化点である所定の温度（例えば１８０℃）になるまでヒータ２０２を加熱する。また、停止時加熱制御を実行した場合、ＣＰＵ２０５は、メモリ２０６に記憶されているフラグデータであり、停止時加熱制御を実行した情報（停止時加熱情報）を管理するフラグデータである停止加熱フラグを０（ＯＦＦ）から１（ＯＮ）に更新する。このように、ＣＰＵ２０５は、異常検知制御と、停止時加熱制御と、を実行可能に構成されている。
【００２２】
なお、画像形成ジョブとは、記録材に画像形成するプリント信号（画像形成信号）に基づいて、画像形成を開始してから画像形成が完了するまでの期間である。すなわち、画像形成ジョブは、画像形成信号の入力により、画像形成動作の前に行う前動作（前回転）、画像形成動作、画像形成動作の後に行う後動作（後回転）の一連の動作を行う期間である。
【００２３】
より具体的には、画像形成ジョブは、プリント信号を受けた（画像形成ジョブの入力）後の前回転時から、後回転までのことを指し、画像形成動作の期間、紙間（非画像形成時）を含む期間である。また、前回転とは、画像形成動作前の準備動作として、感光ドラムの回転を開始し、各種電圧の順次立ち上げや、各種電圧の調整などを行う期間である。画像形成動作は、記録材に形成する画像を実際に形成する期間である。後回転とは、画像形成動作の後の動作として、感光ドラムの回転を継続しつつ各種電圧を順次立ち下げ、最終的に感光ドラムの回転を停止する期間である。紙間とは、転写部を連続して通過する記録材と記録材との間に対応する期間である。
【００２４】
［制御フロー］
次に、第１の実施形態の画像形成装置１００において、画像形成ジョブに基づいてＣＰＵ２０５が実行する各制御処理について説明する。
【００２５】
＜電源ＯＮから電源ＯＦＦまでの制御フロー＞
図３は、第１の実施形態の画像形成装置１００において、電源がＯＮされてからＯＦＦになるまでにおいて画像形成ジョブを実行する場合におけるＣＰＵ２０５が実行する制御処理に関するフローチャートである。
【００２６】
まず、ＣＰＵ２０５は、画像形成装置１００の電源がＯＮになったことに基づき、画像形成装置１００の起動に係る初期設定を実行する起動処理を実行し（Ｓ１００）、起動処理が完了した後にスタンバイ状態に移行する（Ｓ１０１）。次に、ＣＰＵ２０５は、画像形成要求の有無を判断する（Ｓ１０２）。この処理において、ＣＰＵ２０５は、ユーザによる画像形成要求の有無を判断することで画像形成ジョブの開始の有無を判断しており、予め定められた時間が経過するまで画像形成要求がない場合（Ｎｏ）、電源をＯＦＦにする。
【００２７】
一方、画像形成要求がある場合（Ｙｅｓ）、ＣＰＵ２０５は、定着立上制御を実行する（Ｓ１０３）。この処理において、ＣＰＵ２０５は、画像形成ジョブの開始に伴い定着装置１５０を立ち上げる制御である定着立上制御として、定着フィルム１５１の加熱と加圧ローラ１５２の回転駆動とを実行する。なお、ＣＰＵ２０５は、定着立上制御において、サーミスタ２０４が温度異常を検知した場合、ステップＳ１０４以降の処理を実行することなく画像形成ジョブを終了する。
【００２８】
ステップＳ１０３の処理を実行した後、ＣＰＵ２０５は、画像形成処理を実行し、記録材に画像を形成する（Ｓ１０４）。次に、ＣＰＵ２０５は、停止加熱フラグを０（ＯＦＦ）に更新する（Ｓ１０５）。この処理において、ＣＰＵ２０５は、停止加熱フラグを０（ＯＦＦ）に更新する、つまりメモリに記憶されている情報を消去することで初期化する。これにより、画像形成装置１００は、新たな画像形成ジョブの開始までに停止時加熱制御が実行されていない際に、停止時加熱制御が実行されていたとＣＰＵ２０５が誤判断してしまうことを防止できる。
【００２９】
次に、ＣＰＵ２０５は、ステップＳ１０５の処理を実行してから５秒が経過したか否かを判断する（Ｓ１０６）。この処理において、５秒経過していないと判断した場合（Ｎｏ）、ＣＰＵ２０５は、画像形成要求の有無を判断し（Ｓ１０７）、画像形成要求がないと判断した場合（Ｎｏ）、ステップＳ１０６に処理を戻す。一方、ステップＳ１０７の処理において、画像形成要求があると判断した場合（Ｙｅｓ）、ＣＰＵ２０５は、新たな画像形成ジョブを開始するためにステップＳ１０３に処理を戻す。
【００３０】
ステップＳ１０６の処理において、５秒が経過したと判断した場合（Ｙｅｓ）、ＣＰＵ２０５は、停止加熱制御を開始する（Ｓ１０８）。この処理において、ＣＰＵ２０５は、ステップＳ１０８の開始の時点で、画像形成ジョブが終了し、加圧ローラ１５２の回転の停止時から所定の時間である５秒が経過したことに基づき、ヒータ２０２による定着ニップ部Ｎ２の加熱を開始する。第１の実施形態のＣＰＵ２０５は、停止時加熱制御において、サーミスタ２０４の検知する温度が１８０℃となり、一定の時間（例えば５秒）が経過するまでヒータ２０２による加熱を継続する。停止時加熱制御を実行することで、画像形成装置１００は、定着フィルム１５１に対するトナー汚れの蓄積を防止し、定着フィルム１５１に対する記録材の巻きつきや蓄積されたトナー汚れが一気に記録材を汚すことを防ぐことができる。
【００３１】
次に、ＣＰＵ２０５は、停止加熱制御を実行したことに伴い、メモリ２０６に記憶されている停止加熱フラグを０（ＯＦＦ）から１（ＯＮ）に更新し（Ｓ１０９）、ステップＳ１０２に処理を戻す。この処理において、ＣＰＵ２０５は、停止加熱フラグを参照した際に停止加熱制御が実行されたことを認識することができるようにするために、停止加熱フラグを０（ＯＦＦ）から１（ＯＮ）に更新しメモリ２０６に記憶させる。
【００３２】
＜定着立上制御＞
図４は、図３に示したフローチャートにおけるステップＳ１０３の処理で実行される定着立上制御を示すフローチャートである。
【００３３】
まず、ＣＰＵ２０５は、サーミスタ２０４が検知した温度Ｔが特定の温度としての１００℃以下であるか否かを判断する（Ｓ２００）。この処理において、ＣＰＵ２０５は、処理の開始時においてサーミスタ２０４が検知した温度Ｔが特定の温度以下か否かを判断することで、前回の画像形成時に定着フィルム１５１が加熱されてから速やかに新たな画像形成を開始したか否かを判断している。
【００３４】
ステップＳ２００の処理において、サーミスタ２０４が検知した温度Ｔが１００℃以下であると判断した場合（Ｙｅｓ）、ＣＰＵ２０５は、メモリ２０６に記憶されている停止加熱フラグが１（ＯＮ）であるか否かを判断する（Ｓ２０１）。この処理において、ＣＰＵ２０５は、メモリ２０６に記憶されている停止加熱フラグを確認する。そして、ＣＰＵ２０５は、前回の画像形成ジョブの終了に伴い停止加熱制御を実行し、サーミスタ２０４の検知した温度Ｔが１００℃以下と低温な状態であり、かつ定着フィルム１５１の定着ニップ部Ｎ２の周辺が加熱された状態となっているか否かを判断する。
【００３５】
ステップＳ２００の処理でサーミスタ２０４の検知した温度Ｔが１００℃より高温であると判断した場合（Ｎｏ）、ＣＰＵ２０５は、ステップＳ２０２に処理を進める。また、ステップＳ２０１の処理で停止加熱フラグが０（ＯＦＦ）であると判断した場合（Ｎｏ）、ＣＰＵ２０５は、ステップＳ２０２に処理を進める。ステップＳ２０２の処理において、ＣＰＵ２０５は、ヒータ加熱制御を実行する（Ｓ２０２）。この処理において、ＣＰＵ２０５は、停止時加熱制御を実行していないことから、定着フィルム１５１がいずれの箇所においても略同一の温度であると判断し、ヒータ２０２に電力を供給しヒータ２０２による定着フィルム１５１の過熱を開始する。
【００３６】
次に、ＣＰＵ２０５は、異常検知制御を実行する（Ｓ２０３）。この処理において、ＣＰＵ２０５は、サーミスタ２０４が検知する温度の推移からヒータ２０２とサーミスタ２０４との少なくとも一方に異常が発生した場合にヒータ２０２による加熱を停止する異常検知制御を実行する。なお、ＣＰＵ２０５は、異常検知制御において異常が検知された場合、ステップＳ２０４以降の処理を実行することなく定着立上制御を終了する。
【００３７】
次に、ＣＰＵ２０５は、サーミスタ２０４の検知した温度Ｔが１００℃以上となったか否かを判断する（Ｓ２０４）。この処理において、ＣＰＵ２０５は、サーミスタ２０４の検知した温度Ｔが１００℃以上となるまでヒータ２０２が定着フィルム１５１を加熱したか否かを判断する。サーミスタ２０４の検知した温度Ｔが１００℃未満であると判断した場合（Ｎｏ）、ＣＰＵ２０５は、サーミスタ２０４の検知した温度Ｔが１００℃以上となるまでステップＳ２０４の処理を繰り返す。
【００３８】
一方、サーミスタ２０４の検知した温度Ｔが１００℃以上となった場合（Ｙｅｓ）、ＣＰＵ２０５は、定着モータ２１０の駆動制御を開始する（Ｓ２０５）。この処理において、ＣＰＵ２０５は、ヒータ２０２によって定着フィルム１５１が加熱されサーミスタ２０４の検知した温度Ｔが１００℃以上となったことから、定着モータ２１０を駆動し加圧ローラ１５２を回転駆動する。これにより、定着装置１５０は、定着フィルム１５１のうち加圧ローラ１５２の回転開始前に定着ニップ部Ｎ２を形成していた部分以外についてもヒータ２０２によって加熱できる。
【００３９】
このように、ＣＰＵ２０５は、停止時加熱制御を実行していない場合、ステップＳ２０５の処理で加圧ローラ１５２を回転駆動する以前のステップＳ２０３の処理において、異常検知制御を実行するように構成されている。
【００４０】
この構成により、画像形成装置１００は、ステップＳ２００，Ｓ２０１からＳ２０２に処理を進めた場合、ヒータ２０２及びサーミスタ２０４に異常が発生していない場合には速やかに定着モータ２１０を駆動開始し定着立上制御を進行することができる。また、画像形成装置１００は、異常検知制御で異常を検知した際には、定着モータ２１０を駆動開始することなく異常の検知に伴い処理を終了することで、定着フィルム１５１及び加圧ローラ１５２を回転させることなく駆動を停止することができる。このため、画像形成装置１００は、異常が発生した状態で定着フィルム１５１及び加圧ローラ１５２を回転させてしまい、定着フィルム１５１及び加圧ローラ１５２に異常の影響が大きく出てしまうことを防ぐことができる。
【００４１】
また、ＣＰＵ２０５は、サーミスタ２０４の検知した温度Ｔが１００℃以上となってから定着モータ２１０の制御を開始するように構成されている。定着装置１５０は、定着フィルム１５１内の温度が十分に低い場合、内面に塗布されたグリスが軟化しない状態で加圧ローラ１５２によって従動回転させられ、定着フィルム１５１の摺動性が低下し摩耗する虞がある。このため、ＣＰＵ２０５は、ヒータ２０２への電力供給を開始してからグリスが軟化する温度（例えば１００℃）まで温度が上昇してから、定着モータ２１０の回転を開始するように構成されている。
【００４２】
ステップＳ２０１の処理において、停止加熱フラグが１（ＯＮ）であると判断した場合には（Ｙｅｓ）、ＣＰＵ２０５は、ヒータ加熱制御を実行する（Ｓ２０６）。この処理において、ＣＰＵ２０５は、ステップＳ２０２の処理と略同様に、ヒータ２０２に電力を供給しヒータ２０２による定着フィルム１５１の加熱を開始する。
【００４３】
次に、ＣＰＵ２０５は、定着モータ２１０の駆動制御を開始する（Ｓ２０７）。この処理において、ＣＰＵ２０５は、ステップＳ２０５の処理と略同様に、定着モータ２１０を駆動し加圧ローラ１５２を回転駆動する。
【００４４】
次に、ＣＰＵ２０５は、ステップＳ２０９の処理を開始するまで１秒間待機する（Ｓ２０８）。この処理において、ＣＰＵ２０５は、加圧ローラ１５２の回転によって定着フィルム１５１を特定の時間として１秒間が経過するまで従動回転させることで、停止時加熱制御においてヒータ２０２に加熱された部分以外についてもヒータ２０２に加熱させる。これにより、定着フィルム１５１においては、定着ニップ部Ｎ２を形成していた部分と定着ニップ部Ｎ２以外の非ニップ部との温度ムラが軽減される。
【００４５】
次に、ＣＰＵ２０５は、異常検知制御を実行する（Ｓ２０９）。この処理において、ＣＰＵ２０５は、ステップＳ２０３の処理と略同様の異常検知制御を実行する。なお、ＣＰＵ２０５は、異常検知制御において異常が検知された場合、ステップＳ２１０以降の処理を実行することなく定着立上制御を終了する。
【００４６】
このように、ＣＰＵ２０５は、停止時加熱制御を実行していた場合、異常検知制御を開始する以前のステップＳ２０７の処理で加圧ローラ１５２の回転駆動を開始する。そして、ＣＰＵ２０５は、約１秒間経過するまで定着フィルム１５１を従動回転させた後のステップＳ２０９の処理において、異常検知制御を実行するように構成されている。
【００４７】
ステップＳ２０５又はステップＳ２０９の処理を実行した後、ＣＰＵ２０５は、サーミスタ２０４の検知した温度が目標温度に到達したか否かを判断する（Ｓ２１０）。この処理において、ＣＰＵ２０５は、サーミスタ２０４の検知した温度がトナー像を記録材へ定着させるために設定した目標温度（例えば１８０℃）になったか否かを判断する。ＣＰＵ２０５は、目標温度に到達していないと判断した場合（Ｎｏ）、ステップＳ２１０の処理を繰り返し、目標温度に到達したと判断した場合（Ｙｅｓ）、定着立上制御を終了する。
【００４８】
＜異常検知制御＞
図５は、図４に示したフローチャートにおけるステップＳ２０３及びステップＳ２０９の処理で実行される異常検知制御を示すフローチャートである。
【００４９】
まず、ＣＰＵ２０５は、サーミスタ２０４の検知した温度Ｔが第１の基準温度Ｔ１以上であるか否かを判断する（Ｓ３０１）。この処理において、ＣＰＵ２０５は、ヒータ２０２による加熱が開始されていることから、第１の基準温度Ｔ１以上であるか否かを判断することでヒータ２０２やサーミスタ２０４が正常に機能しているか否かを判断している。ここで、第１の基準温度Ｔ１は、例えば停止時加熱制御が開始される際におけるサーミスタ２０４が検知する平均的な温度（例えば１１０℃）に設定されている。
【００５０】
ステップＳ３０１の処理において、サーミスタ２０４の検知した温度Ｔが第１の基準温度Ｔ１未満であると判断した場合（Ｎｏ）、ＣＰＵ２０５は、タイマによるカウントを開始する（Ｓ３０２）。この処理において、ＣＰＵ２０５は、一定時間が経過するまでにサーミスタ２０４が第１の基準温度Ｔ１までの温度の上昇を検知しない場合に異常が発生したと判断するために、タイマによるカウントを開始する。
【００５１】
次に、ＣＰＵ２０５は、サーミスタ２０４の検知した温度Ｔが第１の基準温度Ｔ１以上であるか否かを判断する（Ｓ３０３）。この処理において、サーミスタ２０４の検知した温度Ｔが第１の基準温度Ｔ１未満であると判断した場合（Ｎｏ）、ＣＰＵ２０５は、タイマによるカウントを開始してから５秒が経過したか否かを判断する（Ｓ３０４）。この処理において、タイマによるカウントを開始してから５秒が経過していないと判断した場合（Ｎｏ）、ＣＰＵ２０５は、ステップＳ３０３に処理を戻す。
【００５２】
ステップＳ３０３の処理において、サーミスタ２０４の検知した温度Ｔが第１の基準温度Ｔ１以上であると判断した場合（Ｙｅｓ）、ＣＰＵ２０５は、１秒間待機する（Ｓ３０５）。次に、ＣＰＵ２０５は、サーミスタ２０４の検知した温度Ｔが第１の基準温度Ｔ１＋５度以上であるか否かを判断する（Ｓ３０６）。これらの処理において、ＣＰＵ２０５は、１秒間の間にサーミスタ２０４の検知する温度が５度以上上昇しているか否かを判断している。
【００５３】
ステップＳ３０１の処理において、サーミスタ２０４の検知した温度Ｔが第１の基準温度Ｔ１以上であると判断した場合（Ｙｅｓ）、ＣＰＵ２０５は、ステップＳ３０７に処理を進める。また、ステップＳ３０６の処理において、サーミスタ２０４の検知した温度Ｔが第１の基準温度Ｔ１＋５℃以上であると判断した場合にも（Ｙｅｓ）、ＣＰＵ２０５は、ステップＳ３０７に処理を進める。ステップＳ３０７の処理において、ＣＰＵ２０５は、サーミスタ２０４の検知した温度Ｔが第２の基準温度Ｔ２以上であるか否かを判断する（Ｓ３０７）。この処理において、ＣＰＵ２０５は、第１の基準温度Ｔ１よりも高温の第２の基準温度Ｔ２以上であるか否かを判断することでヒータ２０２やサーミスタ２０４が正常に機能しているか否かを判断している。ここで、第２の基準温度Ｔ２は、例えば第１の基準温度Ｔ１（例えば１１０℃）よりも高温でかつ目標温度（例えば１８０℃）よりも低温である温度（例えば１５０℃）に設定されている。
【００５４】
ステップＳ３０７の処理において、サーミスタ２０４の検知した温度Ｔが第２の基準温度Ｔ２未満であると判断した場合（Ｎｏ）、ＣＰＵ２０５は、タイマによるカウントを開始する（Ｓ３０８）。この処理において、ＣＰＵ２０５は、ステップＳ３０２の処理と略同様に、一定時間が経過するまでにサーミスタ２０４が第２の基準温度Ｔ２までの温度の上昇を検知しない場合に異常が発生したと判断するために、タイマによるカウントを開始する。
【００５５】
次に、ＣＰＵ２０５は、サーミスタ２０４の検知した温度Ｔが第２の基準温度Ｔ２以上であるか否かを判断する（Ｓ３０９）。この処理において、サーミスタ２０４の検知した温度Ｔが第１の基準温度Ｔ１未満であると判断した場合（Ｎｏ）、ＣＰＵ２０５は、タイマによるカウントを開始してから５秒が経過したか否かを判断する（Ｓ３１０）。この処理において、タイマによるカウントを開始してから５秒が経過していないと判断した場合（Ｎｏ）、ＣＰＵ２０５は、ステップＳ３０９に処理を戻す。
【００５６】
ステップＳ３０９の処理において、サーミスタ２０４の検知した温度Ｔが第２の基準温度Ｔ２以上であると判断した場合（Ｙｅｓ）、ＣＰＵ２０５は、１秒間待機する（Ｓ３１１）。次に、ＣＰＵ２０５は、サーミスタ２０４の検知した温度Ｔが第２の基準温度Ｔ２＋５度以上であるか否かを判断する（Ｓ３１２）。これらの処理において、ＣＰＵ２０５は、ステップＳ３０５，Ｓ３０６の処理と略同様に、１秒間の間にサーミスタ２０４の検知する温度が５度以上上昇しているか否かを判断している。
【００５７】
ステップＳ３０７の処理において、サーミスタ２０４の検知した温度Ｔが第２の基準温度Ｔ２以上であると判断した場合（Ｙｅｓ）、ＣＰＵ２０５は、ステップＳ３１３に処理を進める。また、ステップＳ３１２の処理において、サーミスタ２０４の検知した温度Ｔが第２の基準温度Ｔ２＋５℃以上であると判断した場合にも（Ｙｅｓ）、ＣＰＵ２０５は、ステップＳ３１３に処理を進める。ステップＳ３１３の処理において、ＣＰＵ２０５は、サーミスタ２０４の検知した温度Ｔが第３の基準温度Ｔａ以下であるか否かを判断する（Ｓ３１３）。この処理において、ＣＰＵ２０５は、目標温度よりも高温の第３の基準温度Ｔ３以下であるか否かを判断することでヒータ２０２が正常に機能しているか否かを判断している。ここで、第３の基準温度Ｔａは、例えば目標温度（例えば１８０℃）よりも高温である温度（例えば２００℃）に設定されている。
【００５８】
ステップＳ３１３の処理において、サーミスタ２０４の検知した温度Ｔが第３の基準温度Ｔａ以下であると判断した場合（Ｙｅｓ）、ＣＰＵ２０５は、異常検知制御において異常がないと判断し異常検知制御を終了する。
【００５９】
一方、ステップＳ３０４の処理でタイマによるカウントを開始してから５秒が経過したと判断した場合（Ｙｅｓ）、ＣＰＵ２０５は、一定時間が経過してもサーミスタ２０４によって温度の上昇を検知できなかったことから、ステップＳ３１４に処理を進める。また、ステップＳ３０６の処理でサーミスタ２０４の検知した温度Ｔが第１の基準温度Ｔ１＋５℃未満であると判断した場合（Ｎｏ）、ＣＰＵ２０５は、１秒間に５℃以上の温度上昇を検知できなかったことから、ステップＳ３１４に処理を進める。
【００６０】
ステップＳ３１０の処理でタイマによるカウントを開始してから５秒が経過したと判断した場合（Ｙｅｓ）、ＣＰＵ２０５は、一定時間が経過してもサーミスタ２０４によって温度の上昇を検知できなかったことから、ステップＳ３１４に処理を進める。また、ステップＳ３１２の処理でサーミスタ２０４の検知した温度Ｔが第２の基準温度Ｔ２＋５℃未満であると判断した場合（Ｎｏ）、ＣＰＵ２０５は、１秒間に５℃以上の温度上昇を検知できなかったことから、ステップＳ３１４に処理を進める。また、ステップＳ３１３の処理において、サーミスタ２０４の検知した温度Ｔが第３の基準温度Ｔａよりも高温であると判断した場合（Ｎｏ）、ＣＰＵ２０５は、ヒータ２０２によって過度に加熱されていると判断し、ステップＳ３１４に処理を進める。ステップＳ３１４において、ＣＰＵ２０５は、ヒータ２０２と定着モータ２１０との駆動をそれぞれ停止する（Ｓ３１４）。
【００６１】
この処理において、ＣＰＵ２０５は、ステップＳ３０１〜ステップＳ３１３までの処理でサーミスタ２０４の検知した温度に異常がある又はヒータ２０２が正常に機能していないと判断したことから、ヒータ２０２への電力供給を停止する。また、ＣＰＵ２０５は、定着モータ２１０を駆動していた場合、定着モータ２１０についても駆動を停止する。ヒータ２０２及び定着モータ２１０の駆動を停止することにより、画像形成装置１００は、異常を検知した場合に、ヒータ２０２とサーミスタ２０４との少なくとも一方の異常が定着装置１５０に与え得る影響を抑えることができる。
【００６２】
次に、ＣＰＵ２０５は、表示パネル３０２に異常が発生した旨を出力しエラーの発生を報知させる（Ｓ３１５）。そして、ＣＰＵ２０５は、異常検知制御を終了する。異常が発生した旨をＣＰＵ２０５が表示パネル３０２に出力することで、画像形成装置１００は、異常の発生を速やかにユーザに報知することができる。
【００６３】
［定着装置の温度の推移］
図６は、第１の実施形態の画像形成装置１００において、図３〜図５に示した処理を実行する場合におけるサーミスタ２０４が検知する温度の変化と、ＣＰＵ２０５が実行する各制御処理と、の関係を示す図である。
【００６４】
画像形成要求に基づく画像形成ジョブの開始に伴い、画像形成装置１００は、画像形成部１０１の前回転動作を開始する。前回転動作時において、ＣＰＵ２０５は、定着装置１５０を立ち上げる定着立上制御（図４参照）を開始する。
【００６５】
サーミスタ２０４の検知した温度が１００℃未満である場合、ＣＰＵ２０５は、ヒータ２０２に電力を供給した後に異常検知制御を開始する。そして、サーミスタ２０４の検知した温度が１００℃以上となった後に、ＣＰＵ２０５は、定着モータ２１０を回転させ、サーミスタ２０５の温度が目標温度である１８０℃になるようにヒータ２０２による加熱を実行する。
【００６６】
画像形成ジョブが終了すると、ＣＰＵ２０５は、ヒータ２０２による加熱、異常検知制御及び定着モータ２１０の回転を順次終了する。これにより、サーミスタ２０４の検知する温度は、徐々に低下していく。画像形成ジョブの終了後に５秒間以内に次の画像形成ジョブを開始しない場合、ＣＰＵ２０５は、停止時加熱制御を実行する（図３のステップＳ１０６〜Ｓ１０８参照）。
【００６７】
図６の実線（Ａ）〜（Ｃ）は、停止時加熱制御が実行されることによる定着ニップ部Ｎ２の温度を示している。また、図６の点線（ａ）〜（ｃ）は、停止時加熱制御が実行されている状態における定着ニップ部Ｎ２以外、つまり非ニップ部の加圧ローラ１５２の温度を示している。
【００６８】
停止時加熱制御において、ＣＰＵ２０５は、サーミスタ２０４の検出する温度が目標温度である１８０℃となった状態で維持されるようにヒータ２０２に電力を供給する（実線（Ａ））。ＣＰＵ２０５は、サーミスタ２０４の検知した温度が目標温度となった状態で５秒間維持された後に、ヒータ２０２への電力の供給を停止する。停止時加熱制御が実行されている間、定着ニップ部Ｎ２以外の加圧ローラ１５２の温度は、画像形成ジョブの終了後よりも緩やかな速度で低下していく（点線（ａ））。
【００６９】
停止時加熱制御の終了後、サーミスタ２０４の検出する温度は、徐々に低下していく（実線（Ｂ））。このとき、サーミスタ２０４の検知する温度は、定着ニップ部Ｎ２の熱が放熱されにくいことで、画像形成ジョブの終了後よりも緩やかな速度で低下していく。一方、定着ニップ部Ｎ２以外の加圧ローラ１５２の温度は、画像形成ジョブの終了後と略同速度で低下していく（点線（ｂ））。
【００７０】
停止時加熱制御の実行後に新たな画像形成要求に基づく画像形成ジョブの開始に伴い定着装置１５０を立ち上げる定着立上制御を開始した場合、ヒータ２０２への電力の供給開始の際に定着モータ２１０の回転を開始する。このため、定着装置１５０では、定着フィルム１５１のうちヒータ２０２と対面する部分が停止時加熱制御において加熱された定着ニップ部Ｎ２以外の部分となる。これにより、サーミスタ２０４の検知する温度は、ヒータ２０２への電力の供給開始後約１秒経過するまでは低下するものの、その後上昇を開始する（実線（Ｃ））。一方、定着ニップ部Ｎ２以外の加圧ローラ１５２の温度は、ヒータ２０２への電力の供給が開始された際に、定着モータ２１０が回転開始されることで、温度が上昇していく（点線（ｃ））。
【００７１】
なお、図６に示す例においては、停止時加熱制御の実行後に１００℃よりも高い第２の基準温度Ｔ２までサーミスタ２０４の検知する温度が低下した時点で新たな画像形成ジョブに伴う定着立上制御を開始している。このとき、ＣＰＵ２０５は、上述した図４のステップＳ２００，Ｓ２０２〜Ｓ２０５の処理を実行しており、サーミスタ２０４の検知した温度Ｔが１００℃以上である。このため、ＣＰＵ２０５は、ヒータ２０２への電力の供給、異常検知制御、定着モータ２１０の回転、の順に略同タイミングで制御を開始している。
【００７２】
一方、停止時加熱制御の実行後に新たな画像形成ジョブに伴う定着立上制御を開始する際に、サーミスタ２０４の検知する温度が１００℃以下であった場合、ＣＰＵ２０５は、上述した図４のステップＳ２００，Ｓ２０１，Ｓ２０６〜Ｓ２０９の処理を実行する。つまり、ＣＰＵ２０５は、ヒータ２０２への電力の供給、定着モータ２１０の回転、の順に略同タイミングで制御を開始し、特定の時間として１秒経過した後に異常検知制御を実行する。
【００７３】
図６に示すように、画像形成装置１００では、定着装置１５０の停止時加熱制御をＣＰＵ２０５が実行した後に画像形成ジョブの開始に伴いヒータ２０２による加熱を開始した場合、加熱開始から約１秒間、サーミスタ２０４の検知する温度が低下し続ける。サーミスタ２０４の検知する温度が上昇し始めるタイミングで異常検知制御を開始することで、画像形成装置１００は、停止時加熱制御の定着立上制御の実行時において、異常検知制御で温度異常を誤検知することを防ぐことができる。
【００７４】
以上のように、第１の実施形態の画像形成装置１００は、画像形成ジョブの開始に伴いヒータ２０２による加熱を開始する場合に、サーミスタ２０４の検知した温度及び停止加熱フラグを参照する。そして、画像形成装置１００は、サーミスタ２０４の検知した温度が１００℃以下でかつ停止加熱フラグが１（ＯＮ）でメモリ２０６に記憶されている場合、加圧ローラ１５２の回転駆動の開始後に異常検知制御を実行する。これにより、画像形成装置１００は、停止時加熱制御で加熱された定着ニップ部Ｎ２以外の温度の低い部分を定着立上制御でヒータ２０２が加熱し、サーミスタ２０４の検知する温度が一度低下し上昇に転じた後に異常検知制御を開始することができる。そのため、画像形成装置１００は、異常検知制御において異常を検知するために必要な時間が長くなることを防ぐことができ、停止時加熱制御を実行した場合にも短時間で異常の発生を検知できる。
【００７５】
特に、画像形成装置１００は、上述した制御を実行することで、停止時加熱制御を実行した場合と、停止時加熱制御を実行していない場合と、で、共通の異常検知制御を実行することができる。これにより、画像形成装置１００は、異常検知制御にプログラムの設計コストを低減することができるとともに、停止時加熱制御を実行していない場合にも短時間で異常の発生を検知できる異常検知制御を実行することができる。
【００７６】
＜第２の実施形態＞
次に、第２の実施形態に係る画像形成装置１００について説明する。第２の実施形態の画像形成装置１００は、画像形成要求があった際に、定着立上制御の実行前にヒータ２０２に供給する電力を決定する定着電力選択制御を実行する。この点において、第２の実施形態の画像形成装置１００は、上述した第１の実施形態とは異なっている。その他の構成は、第１の実施形態と同様であるため、第１の実施形態と共通する構成要素には同符号を付して説明を省略する。
【００７７】
［制御フロー］
第２の実施形態の画像形成装置１００において、画像形成ジョブに基づいてＣＰＵ２０５が実行する各制御処理について説明する。
【００７８】
＜電源ＯＮから電源ＯＦＦまでの制御フロー＞
図７は、第２の実施形態のＣＰＵ２０５が実行する電源がＯＮされてからＯＦＦになるまでにおいて画像形成ジョブを実行する場合におけるＣＰＵ２０５が実行する制御処理に関するフローチャートである。なお、図７においては、第１の実施形態のＣＰＵ２０５が実行する処理と略同様の処理について、同一のステップ番号を付して説明を省略する。
【００７９】
ステップＳ１０２の処理において、画像形成要求がある場合（Ｙｅｓ）、ＣＰＵ２０５は、定着電力選択制御を実行する（Ｓ４００）。この処理において、ＣＰＵ２０５は、ステップＳ１０３で実行する定着立上制御においてヒータ２０２の加熱を開始する際に、ヒータ２０２に供給する電力を選択する制御を実行する。
【００８０】
一般に、定着装置１５０のようなヒータ２０２に対して定着ニップ部Ｎ２の反対側にサーミスタ２０４が配置される構成で、サーミスタ２０４が当接している面がセラミック基材である場合には、正確に定着ニップ部Ｎ２の温度を測定することが困難である。このため、仮に、定着立上制御の開始時に定着装置１５０内の温度が高い状態で、電力部２０７から供給可能な最大電力をヒータ２０２に供給した場合、定着装置１５０では、定着ニップ部Ｎ２の温度が目標温度よりも高くなりすぎる虞がある。目標温度よりも過度に熱せられた場合、定着装置１５０では、シートＰ上のトナーが定着フィルム１５１に付着するオフセットと呼ばれる現象が発生し得る。また、定着装置１５０では、定着ニップ部Ｎ２が高温になることで加圧ローラ１５２と定着フィルム１５１との間の摩擦力が低下し、定着フィルム１５１が加圧ローラ１５２の表面をスリップする虞もある。
【００８１】
このため、第２の実施形態の画像形成装置１００は、定着立上制御の実行前に、サーミスタ２０４の温度に応じてヒータ２０２に供給する電力を選択する電力選択制御を実行することで、ヒータ２０２に供給する電力を抑制している。
【００８２】
＜定着電力選択制御＞
図８は、図７に示したフローチャートにおけるステップＳ４００の処理で実行される定着電力選択制御を示すフローチャートである。
【００８３】
まず、ＣＰＵ２０５は、メモリ２０６に記憶されている停止加熱フラグが１（ＯＮ）であるか否かを判断する（Ｓ５００）。この処理において、ＣＰＵ２０５は、メモリ２０６に記憶されている停止加熱フラグを確認する定着フィルム１５１の定着ニップ部Ｎ２の周辺が加熱され、かつ定着ニップ部Ｎ２以外の部分が加熱されていない状態となっているか否かを判断する。
【００８４】
ステップＳ５００の処理で停止加熱フラグが１（ＯＮ）であると判断した場合（Ｙｅｓ）、ＣＰＵ２０５は、ヒータ２０２に供給する電力として供給可能な電力のうち９５％の電力を供給すると選択し（Ｓ５０１）、定着電力選択制御を終了する。この処理により、ＣＰＵ２０５は、ヒータ２０２に９５％の電力を供給することで、定着ニップ部Ｎ２以外の部分が加熱されていない定着フィルム１５１及び加圧ローラ１５２を急速に加熱できる。このため、画像形成装置１００は、停止時加熱制御の実行時に速やかにサーミスタ２０４の検知する温度が上昇開始するため、異常検知制御で異常を誤検知することを防ぐことができる。
【００８５】
また、ＣＰＵ２０５は、停止加熱フラグが１（ＯＮ）である場合、ステップＳ５０２以降のサーミスタ２０４の検知した温度に応じて電力を選択する制御を実行することなくヒータ２０２に９５％の電力を電力部２０７から供給させることを選択する。これにより、画像形成装置１００は、停止時加熱制御の実行後における画像形成ジョブの開始時において、サーミスタ２０４の検知した温度によらず供給する電力を選択でき、簡易な処理により処理速度を向上させることができる。
【００８６】
ステップＳ５００の処理で停止加熱フラグが０（ＯＦＦ）であると判断した場合（Ｎｏ）、ＣＰＵ２０５は、サーミスタ２０４の検知した温度Ｔが５０℃未満であるか否かを判断する（Ｓ５０２）。この処理において、ＣＰＵ２０５は、サーミスタ２０４の検知した温度Ｔが５０℃未満であり、定着装置１５０の全体が低温であるか否かを判断している。ステップＳ５０２の処理において、サーミスタ２０４の検知した温度が５０℃未満であると判断した場合（Ｙｅｓ）、ＣＰＵ２０５は、ステップＳ５０１に処理を進めヒータ２０２に９５％の電力を供給すると選択する。
【００８７】
ステップＳ５０２の処理でサーミスタ２０４の検知した温度が５０℃以上であると判断した場合（Ｎｏ）、ＣＰＵ２０５は、サーミスタ２０４の検知した温度Ｔが１３０℃未満であるか否かを判断する（Ｓ５０３）。この処理において、サーミスタ２０４の検知した温度Ｔが１３０℃未満であると判断した場合（Ｙｅｓ）、ＣＰＵ２０５は、ヒータ２０２に９０％の電力を供給すると選択し（Ｓ５０４）、定着電力選択制御を終了する。
【００８８】
ステップＳ５０２の処理でサーミスタ２０４の検知した温度が１３０℃以上であると判断した場合（Ｎｏ）、ＣＰＵ２０５は、サーミスタ２０４の検知した温度Ｔが１６０℃未満であるか否かを判断する（Ｓ５０５）。この処理において、サーミスタ２０４の検知した温度Ｔが１６０℃未満であると判断した場合（Ｙｅｓ）、ＣＰＵ２０５は、ヒータ２０２に８５％の電力を供給すると選択し（Ｓ５０６）、定着電力選択制御を終了する。一方、サーミスタ２０４の検知した温度Ｔが１６０℃以上であると判断した場合（Ｎｏ）、ＣＰＵ２０５は、ヒータ２０２に８０％の電力を供給すると選択し（Ｓ５０７）、定着電力選択制御を終了する。
【００８９】
このように、第２の実施形態のＣＰＵ２０５は、メモリ２０６に記憶されている停止加熱フラグが０（ＯＦＦ）である場合、サーミスタ２０４が検知した温度に基づいて、８０％〜９５％の範囲内から選択された電力を電力部２０７に供給させる。これにより、画像形成装置１００は、サーミスタ２０４の検知した温度が高温の場合に、電力部２０７から供給される電力を小さな電力に抑制し、過度にヒータ２０２が加熱され定着装置１５０が目標温度よりも高温になることを防止できる。また、画像形成装置１００は、サーミスタ２０４の検知した温度が低温の場合に、電力部２０７から供給される電力を大きな電力にすることで、速やかに定着装置１５０を目標温度まで加熱することができる。この、８０％の電力が、第１の電力を構成する。また、９５％の電力が、第２の電力を構成する。
【００９０】
以上のように、第２の実施形態の画像形成装置１００は、メモリ２０６に停止加熱フラグが０（ＯＦＦ）である場合には、サーミスタ２０４が検知した温度に基づいて、８０％〜９５％の電力の範囲内から選択された電力を電力部２０７に供給させる。このため、画像形成装置１００は、サーミスタ２０４の検知した温度に基づき適切な電力をヒータ２０２に供給でき、適切な消費電力で速やかに目標温度まで定着装置１５０を加熱することができる。
【００９１】
また、画像形成装置１００は、メモリ２０６に停止加熱フラグが１（ＯＮ）である場合には、サーミスタ２０４が検知した温度によらず、９５％の電力を電力部２０７に供給させる。このため、画像形成装置１００は、停止時加熱制御の実行時に速やかに定着装置１５０を加熱することができ、異常検知制御で異常を誤検知することを防ぐことができる。また、画像形成装置１００は、停止時加熱制御の実行後における画像形成ジョブの開始時において、サーミスタ２０４の検知した温度によらず供給する電力を選択でき、簡易な処理により処理速度を向上させることができる。
【００９２】
＜他の実施形態＞
なお、第１、第２の実施形態において、定着装置１５０は、ヒータ２０２に対して定着ニップ部Ｎ２の反対側の面に当接する位置にサーミスタ２０４を配置しているが、これに限定されない。定着装置１５０は、定着フィルム１５１の内面とヒータ２０２との間に定着フィルム１５１の内面に摺動するガイド板を有するように構成されていてもよく、該ガイド板に接触する位置にサーミスタ２０４を配置していてもよい。また、定着装置１５０は、定着フィルム１５１の内面に当接する位置にサーミスタ２０４を配置するように構成されていてもよい。
【００９３】
また、第２の実施形態において、ＣＰＵ２０５は、サーミスタ２０４の検知した温度によって８０％，８５％，９０％，９５％の４種類の電力からいずれかの電力を電力部２０７に供給させることを選択可能に構成されているが、これに限定されない。ＣＰＵ２０５は、サーミスタ２０４が検知した温度を所定の計算式に代入して供給する電力の大きさを算出するように構成されていてもよい。
【００９４】
また、第１、第２の実施形態において、画像形成装置１００は、ＣＰＵ２０５から出力される異常が発生した旨が出力された場合に、エラーの発生を報知する表示パネル３０２を備えているが、これに限定されない。画像形成装置１００は、例えば、ＣＰＵ２０５から出力される異常が発生した旨が出力された場合に、エラーの発生を音によって報知するスピーカを備えていてもよい。また、画像形成装置１００は、例えば、ＣＰＵ２０５から出力される異常が発生した旨が出力された場合に、エラーの発生を赤色等の光によって報知するランプを備えていてもよい。ランプを備える構成である場合、画像形成装置１００は、正常に動作している場合に、エラーの発生時とは異なる色（例えば緑色等）によってランプを光らせることで、エラーの発生時にランプの色を変色させてユーザにエラーの発生を報知できる。
【符号の説明】
【００９５】
１００…画像形成装置／１５０…定着装置／１５１…定着フィルム／１５２…駆動回転体（加圧ローラ）／２００…制御部／２０２…加熱部（ヒータ）／２０４…温度検知部（サーミスタ）／２０６…記憶部（メモリ）／３０２…表示部（表示パネル）／Ｎ２…ニップ部（定着ニップ部）／Ｐ…記録材（シート）
【図１】
2020034785.tif 000003
【図２】
2020034785.tif 000004
【図３】
2020034785.tif 000005
【図４】
2020034785.tif 000006
【図５】
2020034785.tif 000007
【図６】
2020034785.tif 000008
【図７】
2020034785.tif 000009
【図８】
2020034785.tif 000010